【事件の表示】
　特願２０００−２４９２７２「オーダーメイドリボンの受注販売システム」拒絶査定不服審判事件〔平成１４年　２月２８日出願公開、特開２００２−　６３４２４〕について、次のとおり審決する。
【結　論】
　本件審判の請求は、成り立たない。
【理　由】
１．手続の経緯 
　本願は、平成１２年８月２１日の出願であって、平成１５年４月４日付で拒絶査定がなされ、これに対し、同年５月７日に拒絶査定に対する審判請求がなされるとともに、同日付で手続補正がなされたものである。 
　 
２．平成１５年５月７日付の手続補正についての補正却下の決定 
［補正却下の決定の結論］ 
　平成１５年５月７日付の手続補正を却下する。 
　 
［理由］ 
（１）補正の内容 
　平成１５年５月７日付の手続補正（以下「本件補正」という。）は、平成１５年３月１８日付の手続補正により補正された特許請求の範囲（以下、「補正前の特許請求の範囲」という。）の記載事項を以下のとおりの特許請求の範囲（以下、「補正後の特許請求の範囲」という。）の記載事項に補正することを含むものである。
　
（補正前の特許請求の範囲）
「【請求項１】　インターネット２に接続され、リボン生地の色、幅、長さなどの形状に関する項目と、リボン生地に表示すべき文字テキストＷの入力欄とを少なくとも含むオーダーメニュー要素群Ａ（Ａ１・Ａ２・Ａ３…）・Ｂ（Ｂ１・Ｂ２・Ｂ３…）・Ｃ（Ｃ１・Ｃ２・Ｃ３…）…を記憶し、かつ、各種書体の文字フォントソフトが装備されたサーバー手段１と；
前記インターネット２を介して同サーバー手段１との接続が可能で、かつ、リボン生地に表示すべき文字テキストＷを入力可能な入力手段を備えたコンピュータ端末３・３…とから構成されており、かつ、前記サーバー手段１は、前記オーダーメニュー要素群Ａ・Ｂ・Ｃ…をアクセスしてきたコンピュータ端末３に送信するオーダーメニュー発信手段を備える一方、
前記コンピュータ端末３には、前記サーバー手段１から送信されたオーダーメニュー要素群Ａ・Ｂ・Ｃ…のうち、前記リボン形状に関する項目から選択されたものと、フォントの書体、大きさ、色などを指定し、前記文字テキストＷの入力欄において前記入力手段により入力されたものとを少なくとも含む確定オーダー要素ＡＸ（Ｘは１・２・３…のうちから選択された少なくとも一つ）・ＢＸ・ＣＸ…を組み合わせたシミュレーション画像Ｐを端末モニター３ａに形成して表示する画像形成手段を備えると共に、前記確定オーダー要素ＡＸ・ＢＸ・ＣＸ…、および／または前記シミュレーション画像Ｐは、当該コンピュータ端末３から注文情報データとして前記サーバー手段１に送信する成約データ返信手段を備えており、
前記コンピュータ端末３・３…との交信を通じてサーバー手段１に記憶された注文情報データを読み出すことにより前記シミュレーション画像Ｐに基づく正確な受注を可能にすることを特徴とするオーダーメイドリボンの受注販売システム。」
　
（補正後の特許請求の範囲）
「【請求項１】インターネット２に接続され、リボン生地の色、幅、長さなどの形状に関する項目と、リボン生地に表示すべき文字テキストＷの入力欄とを少なくとも含むオーダーメニュー要素群Ａ（Ａ１・Ａ２・Ａ３…）・Ｂ（Ｂ１・Ｂ２・Ｂ３…）・Ｃ（Ｃ１・Ｃ２・Ｃ３…）…を記憶し、かつ、各種書体の文字フォントソフトが装備されたサーバー手段１と；
前記インターネット２を介して同サーバー手段１との接続が可能で、かつ、リボン生地に表示すべき文字テキストＷを入力可能な入力手段を備えたコンピュータ端末３・３…とから構成されており、かつ、前記サーバー手段１は、前記オーダーメニュー要素群Ａ・Ｂ・Ｃ…をアクセスしてきたコンピュータ端末３に送信するオーダーメニュー発信手段を備える一方、
前記コンピュータ端末３には、前記サーバー手段１から送信されたオーダーメニュー要素群Ａ・Ｂ・Ｃ…のうち、前記リボン形状に関する項目から選択されたものと、フォントの書体、大きさ、色などを指定し、前記文字テキストＷの入力欄において前記入力手段により入力されたものとを少なくとも含む確定オーダー要素ＡＸ（Ｘは１・２・３…のうちから選択された少なくとも一つ）・ＢＸ・ＣＸ…を組み合わせたシミュレーション画像Ｐを端末モニター３ａに形成して表示する画像形成手段を備えると共に、前記確定オーダー要素ＡＸ・ＢＸ・ＣＸ…、および／または前記シミュレーション画像Ｐは、当該コンピュータ端末３から注文情報データとして前記サーバー手段１に送信する成約データ返信手段を備えており、
前記コンピュータ端末３・３…との交信を通じてサーバー手段１に記憶された注文情報データを読み出すことができ、かつ、前記成約データ返信手段により、受信した注文情報データの整合性を再確認するために当該消費者のコンピュータ端末３へ受領確認情報データが自動的に返信されて注文の受付が完了することにより、前記シミュレーション画像Ｐに基づく正確な受注を可能にすると共に、
当該注文情報データに基づくテキスト文字Ｗをリボン生地に表示処理する生産工程により得られるリボン製品が消費者に販売できることを特徴とするオーダーメイドリボンの受注販売システム。」 
　 
（２）補正の適否 
　補正後の請求項１は、「シミュレーション画像Ｐに基づく正確な受注を可能にする」との構成要件について、「…ができ、かつ、前記成約データ返信手段により、受信した注文情報データの整合性を再確認するために当該消費者のコンピュータ端末３へ受領確認情報データが自動的に返信されて注文の受付が完了することにより」との限定を付加し、「オーダーメイドリボンの受注販売システム」の構成要件について、「当該注文情報データに基づくテキスト文字Ｗをリボン生地に表示処理する生産工程により得られるリボン製品が消費者に販売できること」との限定を付加するものであるから、特許請求の範囲の減縮を目的とするものである。
　したがって、本件補正は、特許法第１７条の２第４項第２号の特許請求の範囲の減縮を目的とするものに該当するので、補正後の請求項１に記載された発明（以下、「本件補正発明」という。）が特許出願の際独立して特許を受けることができるものであるか（特許法第１７条の２第５項において準用する同法第１２６条第４項の規定に適合するか）について以下に検討する。
　
（３）独立特許要件
（３−１）引用例
　原審の拒絶の理由に引用された特開平１０−２０７９４０号公報（以下、「引用例」という。）には、図面とともに、以下の事項が記載されている。 
（ａ）「【００１３】図１は本発明が適用されるネットワークショッピングシステムの構成を示すブロック図、図２は図１に示すシステムを用いたショッピングの手順を説明するフローチャートである。図１において、１は顧客側装置、２はアクセス装置、３は公衆回線網、４はサービスプロバイダ、５はバーチャルショップ、６は回線接続装置、７は顧客端末、８は表示装置、９は端末本体部、１０は外部記憶装置、１１は入力装置、１２は通信回線である。
【００１４】図１に示す本発明が適用されるネットワークショッピングシステムは、インターネット等の公衆回線網３と、この回線網に接続されているアクセス装置２と、購入者側装置１と、サービスプロバイダ４と、複数のバーチャルショップ５と、アクセス装置２と購入者側装置１とを接続する電話回線等の通信回線１２とにより構成されている。なお、図１には、購入者側装置１、アクセス装置２、サービスプロバイダ４をそれぞれ１台のみ示しているが、これらは、実際にはさらに多数が公衆通信網３に接続されていることはいうまでもない。また、図１には、インターネットとして代表される１つの公衆通信網３のみを示しているが、公衆通信網３と購入者装置１との間には多数のネットワークが介在する場合もある。
【００１５】サービスプロバイダ４は、商品提供者によるバーチャルショップ５を持ち、利用者である顧客からのアクセスにより、バーチャルショップ５に備えられている各種の商品情報を顧客に提供するサービスを行っている。また、アクセス装置２は、利用者である購入者側装置１と公衆回線網３を介したサービスプロバイダー４との間の接続サービスを行うもので、公衆回線網接続プロバイダ、双方向ＣＡＴＶ放送局等であってよい。また、通信回線１２としては、電話回線、双方向ＣＡＴＶ回線、衛星回線等であってよい。
【００１６】購入者側装置１は、モデム、ＬＡＮアダプタ、ディジタル公衆電話、モデム内蔵携帯電話等の回線接続装置６と、公衆回線網対応のＰＣ（パソコン）、ＴＶ、ＰＤＡ（携帯端末）等による顧客端末７とにより構成される。顧客端末７は、例えば、表示装置８、端末本体部９、外部記憶装置１０、入力装置１１を備えて構成されればよく、また、入力装置１１は、キーボード、マウス、コントローラ、リモコン、ペン、ジョイスティック等、あるいは、これらの組み合わせにより構成されていればよい。さらに、表示装置８は、テレビ受像機等であってもよい。
【００１７】次に、前述のように構成されるシステムにおいて、顧客がネットワークショッピングを行おうとする場合のショッピング手順を図１に示すフローを参照して説明する。
【００１８】（１）ネットワークショッピングを行おうとする顧客は、顧客端末７を使用して、回線接続装置６、通信回線１２、アクセス装置２、公衆通信網３、サービスプロバイダ４を介して、サイトとしてのバーチャルショップ５にアクセスする。このアクセスの処理は、公知のインターネットに対するアクセスの場合と同様に行われる（ステップ２１）。」（３頁右欄３８行〜４頁左欄４２行）
（ｂ）「【００２４】図３は本発明の第１の実施形態によるメッセージカードをデザインして作成するシミュレーションの方法を説明するフローチャート、図４〜図７は図３の各ステップにおける表示画面の例を示す図である。この本発明の第１の実施形態は、ギフト用の商品を選択し、その商品に添えるメッセージカードをデザインするシミュレーションを行うものである。
【００２５】（１）図２により説明したステップ２２でギフト用の商品を探索選択してステップ２３に移ると、図示していないが、メッセージカードを添えるか否かの問合せが表示画面上に表示される。顧客が、メッセージカードの添付が不要であると判断して、そのまま、商品を定形のラッピングにより発送してもらう場合、顧客は、入力装置から終了を指示し、あるいは、図示していないが表示画面上に表示される終了ボタンを選択することにより、図２で説明した注文、決済の処理に移ることができる（ステップ３０１）。
【００２６】（２）ステップ３０１でメッセージカードを添えることを選択決定してその指示が行われると、初期画面として、図４に示すように、カード作成領域５０を中心として、その周辺に、“手書き指示”ボタン４１、“キーボード入力指示”ボタン４２、“書き直し指示”ボタン４３、“キャンセル”ボタン４４、“終了”ボタン４５、“消しゴム”ボタン４６、“ペンの色選択”のパレット４７、“カード選択”のボタン４８、“ペンの太さ選択”のパレット４９、ペンの種類選択領域５１が表示される。このような初期画面では、カード作成領域５０には何も表示されず白紙の状態である。顧客は、この状態でカードの種類を切り替えたい場合、“カード選択”のボタン４８を選択指示する（ステップ３０２、３０３）。
【００２７】（３）“カード選択”のボタン４８が選択指示されると、図５（ａ）に示すように、表示画面の中央部に表紙パターン表示領域５２が作られ、カードの表紙のパターン５３が複数表示される。この表紙のパターンは、例えば、誕生日、結婚記念日、卒業のお祝いのための絵柄等を予めデザインして用意したものであってよい。顧客が、表示された複数のカードの１枚を選択指示すると、図４のカード作成領域５０の絵柄が選択されたものに変わる（ステップ３０４〜３０６）。
【００２８】（４）前述したカードの切り替えを行った後、あるいは、ステップ３０２でカードの切り替えを行うことなく、顧客は、手書きによりカードを作成するか、キーボード入力によりカードを作成するかを選択する。但し、ここでは何の操作も必要なく、ステップ３０８、３１３以降の操作を行えばよい（ステップ３０７）。
（中略）
【００３０】（６）また、キーボード入力によりカードを作成しようとする場合、顧客は、“キーボード入力指示”ボタン４２を選択する。これにより、表示画面は、図６に示すように、“ペンの太さ選択”のパレット４９に代わり、文字の大きさ選択のパレット６２が、ペンの種類選択領域５１に代わり、文字フォント選択領域６３が表示され、また、“定型文選択”ボタン６１が表示された画面に変化する（ステップ３１３）。
【００３１】（７）顧客は、この状態で、表示画面上の文字フォント選択領域６３から文字フォントの１つを選択し、文字の大きさ選択のパレット６２から文字の大きさを選択し、さらに、“ペンの色選択”のパレット４７から所望色を選択する（ステップ３１４〜３１６）。」（４頁右欄２５行〜５頁左欄４７行）
（ｃ）「【００３５】（11）ステップ３１２、３２０または３２３までの処理により、メッセージカードが作成され完成するが、その後修正の必要があるか否かをチェックし、修正の必要があれば、“消しゴム”ボタン４６をマウス等により指示し、メッセージの消したい場所に消しゴムを移動させてその部分を消し、また、書き直しを行いたい場合、“書き直し指示”ボタン４３選択する（ステップ３２４〜３２７）。
【００３６】（12）前述で修正、書き直しを行う場合、まだ出来上がりではないので、前述した処理に戻って再度同様な処理を行う。顧客は、自分で納得の行くまで、前述の処理を繰り返して、ギフト用の商品に添えるメッセージカードをデザインするシミュレーションを行って、出来上がり状態を確認し、修正、書き直しの必要がなくなった場合、“終了”ボタン４５を選択する。これにより、メッセージカードの内容が確定し、図２で説明した注文、決済の処理に移ることができる（ステップ３２８、３２９）。」（５頁右欄１７〜３４行）
　
（３−２）引用例に記載された発明
(1)上記摘記事項（ａ）の記載によれば、バーチャルショップを提供しているサービスプロバイダと顧客端末とは、インターネットで接続され、バーチャルショップに備えられている各種の商品情報を顧客に提供するのだから、「バーチャルショップ」には「コンピュータ」が備わっていることが明らかである。
(2)上記摘記事項（ｂ）の記載によれば、顧客端末に表示される「“カード選択”のボタン」、「文字フォント選択領域」、「文字の大きさ選択のパレット」、「“ペンの色選択”のパレット」等を有する画面は、顧客が顧客端末を使用して「バーチャルショップ」にアクセス中に送信されてくるのだから、「バーチャルショップのコンピュータ」は、「カード選択」、「文字フォント選択」、「文字の大きさ選択」、「ペンの色選択」という「オーダーメニュー要素群」を記憶しており、また、アクセスしてきた顧客端末に当該「オーダーメニュー要素群」を送信する「オーダーメニュー発信手段」を備えていることが明らかである。
(3)上記摘記事項（ｂ）の記載によれば、「バーチャルショップのコンピュータ」から送信されてくる画面には、「文字フォント選択領域」があることから、「バーチャルショップのコンピュータ」には、「各種書体の文字フォントソフト」が装備されていることが明らかである。
(4)そして、上記摘記事項（ｃ）の記載によれば、顧客は、メッセージカードの修正、書き直しを行いながらメッセージカードをデザインしシミュレーションをおこなって、出来上がり状態を確認するのだから、「顧客端末」には、オーダーメニュー要素群のうち、顧客が選択・入力したメッセージカードの種類に関する項目から選択されたものと、フォントの書体、大きさ、色などを選択し、カード作成領域においてキーボードにより入力されたものとを少なくとも含む選択されたオーダー要素を組み合わせたシミュレーション画像を顧客端末の表示装置に形成して表示する画像形成手段を備えていることが明らかである。
(5)また、上記摘記事項（ｃ）の記載によれば、顧客は、メッセージカードの内容を確定し、注文、決済の処理に移るのだから、「顧客端末」は、選択されたオーダー要素を、注文情報データとしてバーチャルショップのコンピュータに送信する注文情報データ送信手段を備えていることが明らかである。
(6)上記摘記事項（ａ）〜（ｃ）の記載によれば、「バーチャルショップ」は、「顧客端末」から送信された注文情報データによりメッセージカードに表示処理を行うのだから、「バーチャルショップ」は、顧客端末との交信を通じてバーチャルショップのコンピュータに記憶された注文情報データを読み出すことができ、シミュレーション画像に基づく正確な受注が可能になると共に、当該注文情報データに基づく文字をカードに表示処理する生産工程によりメッセージカードを得ることができるようになることは、明らかである。
　
　そうすると、引用例には、
「インターネットに接続され、カードの種類に関する項目と、カードに表示すべき文字を入力するカード作成領域とを少なくとも含むオーダーメニュー要素群を記憶し、かつ、各種書体の文字フォントソフトが装備されたバーチャルショップのコンピュータと；
前記インターネットを介して同バーチャルショップのコンピュータとの接続が可能で、かつ、カードに表示すべき文字を入力可能なキーボードを備えた顧客端末とから構成されており、かつ、前記バーチャルショップのコンピュータは、前記オーダーメニュー要素群をアクセスしてきた顧客端末に送信するオーダーメニュー発信手段を備える一方、
前記顧客端末には、前記バーチャルショップのコンピュータから送信されたオーダーメニュー要素群のうち、前記カードの種類に関する項目から選択されたものと、フォントの書体、大きさ、色などを選択し、前記カード作成領域において前記キーボードにより入力されたものとを少なくとも含む選択されたオーダー要素を組み合わせたシミュレーション画像を顧客端末の表示装置に形成して表示する画像形成手段を備えると共に、前記選択されたオーダー要素は、当該顧客端末から注文情報データとして前記バーチャルショップのコンピュータに送信する注文情報データ送信手段を備えており、
前記顧客端末との交信を通じてバーチャルショップのコンピュータに記憶された注文情報データを読み出すことができ、前記シミュレーション画像に基づく正確な受注を可能にすると共に、
当該注文情報データに基づく文字をカードに表示処理する生産工程によりメッセージカードを得ることができることを特徴とするオーダーメイドメッセージカードの受注システム。」の発明が記載されているといえる。
　
（３−３）対比・判断
　本件補正発明（以下、「前者」という。）と引用例に記載された発明（以下、「後者」という。）とを対比すると、
(1)後者の「カード」と前者の「リボン生地」とは、「基材」という概念で共通するから、後者の「カードの種類」と前者の「リボン生地の色、幅、長さなど形状」とは、「基材の種類」という概念で共通する。
(2)後者の「文字」は、前者の「文字テキスト」に相当し、以下同様に、「文字を入力するカード作成領域」は「文字テキストの入力欄」に、「バーチャルショップのコンピュータ」は「サーバー手段」に、「顧客端末」は「コンピュータ端末」に、「キーボード」は「入力手段」に、「選択されたオーダー要素」は「確定オーダー要素」に、「顧客端末の表示装置」は「端末モニター」に、「注文情報データ送信手段」は「成約データ返信手段」に、それぞれ相当する。
(3)また、後者の「メッセージカード」と前者の「リボン」とは、「製品」という概念で共通し、また、後者の「受注」と前者の「受注販売」とは、「受注」という概念で共通するから、後者の「オーダーメイドメッセージカードの受注システム」と前者の「オーダーメイドリボンの受注販売システム」とは、「オーダーメイド製品の受注システム」という概念で共通する。
　
　そうすると、両者は、
「インターネットに接続され、基材の種類に関する項目と、基材に表示すべき文字テキストの入力欄とを少なくとも含むオーダーメニュー要素群を記憶し、かつ、各種書体の文字フォントソフトが装備されたサーバー手段と；
前記インターネットを介して同サーバー手段との接続が可能で、かつ、基材に表示すべき文字テキストを入力可能な入力手段を備えたコンピュータ端末とから構成されており、かつ、前記サーバー手段は、前記オーダーメニュー要素群をアクセスしてきたコンピュータ端末に送信するオーダーメニュー発信手段を備える一方、
前記コンピュータ端末には、前記サーバー手段から送信されたオーダーメニュー要素群のうち、前記基材の種類に関する項目から選択されたものと、フォントの書体、大きさ、色などを指定し、前記文字テキストの入力欄において前記入力手段により入力されたものとを少なくとも含む確定オーダー要素を組み合わせたシミュレーション画像を端末モニターに形成して表示する画像形成手段を備えると共に、前記確定オーダー要素は、当該コンピュータ端末から注文情報データとして前記サーバー手段に送信する成約データ返信手段を備えており、
前記コンピュータ端末との交信を通じてサーバー手段に記憶された注文情報データを読み出すことができることにより、前記シミュレーション画像に基づく正確な受注を可能にすると共に、
当該注文情報データに基づくテキスト文字を基材に表示処理する生産工程により製品を得ることができることを特徴とするオーダーメイド製品の受注システム。」
である点で一致し、以下の点で相違する。
　
［相違点１］
　前者では、オーダーメイド製品が「リボン」であるのに対して、後者では、オーダーメイド製品が「メッセージカード」である点。
［相違点２］
　前者では、オーダーメイド製品が「リボン」であるため、基材の種類に関する項目は、「リボン生地の色、幅、長さなどの形状」であるのに対して、後者では、オーダーメイド製品が「リボン」でないため、そうでない点。
［相違点３］
　前者では、成約データ返信手段により、受信した注文情報データの整合性を再確認するために当該消費者のコンピュータ端末へ受領確認情報データが自動的に返信されて注文の受付が完了するものであるのに対して、後者では、この点が不明な点。
［相違点４］
　前者は、製品を消費者に販売できるようにした「受注販売システム」であるのに対して、後者は、「受注システム」であり、製品は商品に添えられるものであり、製品自体を消費者に販売していない点。
　
　上記相違点について、検討する。
［相違点１］について
　製品としてリボンは周知であるので、後者においてオーダーメイド製品を「リボン」とすることは、当業者であれば容易に想到できたものである。
［相違点２］について
　リボンは、「リボン生地の色、幅、長さなどの形状」を選択することによりデザインされることは、周知の事項であるから、オーダーメイドされる製品を「リボン」とすれば、この点は、直ちに導出されるものである。
　そして、上記［相違点１］について言及したようにオーダーメイド製品を「リボン」とすることが容易であれば、リボンをオーダーメイドするためのデザインとして、リボン生地の色、幅、長さなどの形状に関する項目を設けるようにすることも、また、容易である。
［相違点３］について
　消費者がインターネットを介して製品販売業者に製品を注文する場合に、当該消費者のコンピュータ端末に受領確認情報データを自動的に返信させて注文の受付を完了することは、消費者が注文を確認するために普通に行われていることであるから、上記相違点３で挙げた前者のような構成を得ることは、当業者であれば容易になし得たことである。
［相違点４］について
　消費者に対して、製品を販売することも、サービスとして提供することも普通に行われているところであるから、消費者からオーダーメイドされた製品を販売できるようにすることは、当業者が適宜なし得ることであるので、後者のシステムを上記相違点４で挙げたように「受注販売システム」とすることは、当業者であれば容易になし得たことである。
　
　また、本件補正発明の効果についてみても、上記引用例に記載された発明、及び周知の事項から予測される範囲のものにすぎない。  
 　  
　したがって、本件補正発明は、上記引用例に記載された発明、及び周知の事項に基づいて、当業者が容易に発明をすることができたものであるから、特許法第２９条第２項の規定により特許出願の際独立して特許を受けることができないものである。 
 　 
（３−４）むすび 
　以上のとおり、本件補正発明は、特許出願の際独立して特許を受けることができないものであるから、本件補正は、特許法第１７条の２第５項で準用する同法第１２６条第４項の規定に違反するものであり、特許法第１５９条第１項で準用する同法第５３条第１項の規定により却下されるべきものである。 
 
３．本願発明 
　平成１５年５月７日付の手続補正は上記のとおり却下されたので、本願の請求項１に係る発明（以下「本願発明」という。）は、平成１５年３月１８日付手続補正書の特許請求の範囲の請求項１に記載された事項により特定される、以下のとおりのものである。 
「インターネット２に接続され、リボン生地の色、幅、長さなどの形状に関する項目と、リボン生地に表示すべき文字テキストＷの入力欄とを少なくとも含むオーダーメニュー要素群Ａ（Ａ１・Ａ２・Ａ３…）・Ｂ（Ｂ１・Ｂ２・Ｂ３…）・Ｃ（Ｃ１・Ｃ２・Ｃ３…）…を記憶し、かつ、各種書体の文字フォントソフトが装備されたサーバー手段１と；
前記インターネット２を介して同サーバー手段１との接続が可能で、かつ、リボン生地に表示すべき文字テキストＷを入力可能な入力手段を備えたコンピュータ端末３・３…とから構成されており、かつ、前記サーバー手段１は、前記オーダーメニュー要素群Ａ・Ｂ・Ｃ…をアクセスしてきたコンピュータ端末３に送信するオーダーメニュー発信手段を備える一方、
前記コンピュータ端末３には、前記サーバー手段１から送信されたオーダーメニュー要素群Ａ・Ｂ・Ｃ…のうち、前記リボン形状に関する項目から選択されたものと、フォントの書体、大きさ、色などを指定し、前記文字テキストＷの入力欄において前記入力手段により入力されたものとを少なくとも含む確定オーダー要素ＡＸ（Ｘは１・２・３…のうちから選択された少なくとも一つ）・ＢＸ・ＣＸ…を組み合わせたシミュレーション画像Ｐを端末モニター３ａに形成して表示する画像形成手段を備えると共に、前記確定オーダー要素ＡＸ・ＢＸ・ＣＸ…、および／または前記シミュレーション画像Ｐは、当該コンピュータ端末３から注文情報データとして前記サーバー手段１に送信する成約データ返信手段を備えており、
前記コンピュータ端末３・３…との交信を通じてサーバー手段１に記憶された注文情報データを読み出すことにより前記シミュレーション画像Ｐに基づく正確な受注を可能にすることを特徴とするオーダーメイドリボンの受注販売システム。」 
　 
３−１．引用例 
　原査定の拒絶の理由に引用された引用例、および、その記載事項は、前記「（３−１）」に記載したとおりである。  
　
３−２．対比・判断  
　本願発明は、前記２．で検討した本件補正発明の「シミュレーション画像Ｐに基づく正確な受注を可能にする」との構成要件から、「…ができ、かつ、前記成約データ返信手段により、受信した注文情報データの整合性を再確認するために当該消費者のコンピュータ端末３へ受領確認情報データが自動的に返信されて注文の受付が完了することにより」との限定事項を省き、「オーダーメイドリボンの受注販売システム」の構成要件から、「当該注文情報データに基づくテキスト文字Ｗをリボン生地に表示処理する生産工程により得られるリボン製品が消費者に販売できること」との限定事項を省くものである。
　そうすると、本願発明の構成要件を全て含み、さらに他の構成要件を付加したものに相当する本件補正発明が、前記「（３−３）」に記載したとおり、上記引用例に記載された発明、及び周知の事項に基づいて、当業者が容易に発明をすることができたものであるから、本願発明も、同様の理由により、上記引用例に記載された発明、及び周知の事項に基づいて、当業者が容易に発明をすることができたものである。  
 　  
３−３．むすび  
　以上のとおり、本願の請求項１に係る発明は、上記引用例に記載された発明、及び周知の事項に基づいて、当業者が容易に発明をすることができたものであるから、特許法第２９条第２項の規定により特許を受けることができない。 
　よって、結論のとおり審決する。